(57)【要約】【課題】  容器内への紙粉等の混入防止するとともに、インクの再充填による容器のリサイクルが容易なインク容器を提供する。【解決手段】  インク容器１の容器本体２の一端は閉止され、そこには内部に充填されたインクを排出するインクを排出するノズル４が設けられ、それと反対の端部は開放され、そこには蓋部材５が設けられている。蓋部材５は、円形の縁部に設けられた固定部６と、この固定部の内側に設けられた平板部７と、固定部６と平板部７との間に設けられた制止部８とを備える。この平板部７には、全体あるいは一部に細かい網目９が形成されている。【選択図】図１
2005225009.tif 000002
【特許請求の範囲】
【請求項１】
筒状の容器本体と、前記容器本体内部を摺動自在なピストンと、前記容器本体の一端には内部に充填されたインクを排出するノズルとを備えるインク容器において、
前記容器本体の前記ノズルと反対の端部には前記筒状容器本体の開口部を塞ぐ蓋部材が設けられ、
前記蓋部材は、平板部とその周囲に設けられた固定部とを備え、該固定部において前記筒状容器本体の開口部に固定され、
前記平板部の少なくとも一部が通気孔を有する網目状となっていることを特徴とするインク容器。
【請求項２】
前記蓋部材は、前記容器本体に対して、着脱自在に構成されていることを特徴とする請求項１記載のインク容器。
【発明の詳細な説明】
【技術分野】
【０００１】
本発明は、印刷機用インクを充填して用いるインク容器であって、特に、容器内への紙粉等の混入防止するとともに、インクの再充填による容器のリサイクルが容易なインク容器に関する。
【背景技術】
【０００２】
従来より、マスターと呼ばれる版に穴を開けることで表面のインキを浸透させ、紙などの被印刷物にインキを付着させる孔版印刷機が知られている。特に近年は、マスターのフィルム面にサーマルヘッドの熱の力によって製版を行い、これをドラムに巻き付け、このドラムの内側からインクを押し出して、版胴、スクリーンを通過したあと、マスターの原稿パターンを紙に転写するデジタル孔版印刷機が多く用いられている。上記の印刷機においては、機器内にインクを充填した容器を装着して印刷を行っている。このようなインク容器は、以下のようにして使用されるものである。
【０００３】
すなわち、図６に示すように、インク容器１を印刷機本体のインク容器収納部Ａに対して、容器本体２の外周上に設けられたリブＲをガイドとして挿入すると、インク容器１のインク排出口が印刷機本体のインク吸引口Ｖと接続される。そして、印刷機によってインクが吸引されると、インク容器１内部に設けられたピストン３が吸引にしたがって摺動する。インク排出ノズル４と反対の端部である挿入反対方向端部には、広径の中央孔１１ａとその周辺に複数の周孔１１ｂを有する蓋部が設けられており、このインク吸引によるピストンの摺動にしたがって、インク容器１のピストン３と蓋部５との間には、空隙が生じるようになっている。
【０００４】
ここで、この蓋部５は、インクがインク容器１に満充填された際に、ピストン３が容器１の開口部分から突出するのを防止するとともに、外部からピストン３に何らかが衝突し、ピストン３が破損するのを防止する。また、上記の通り、印刷機にインクが吸引された際に、ピストン３が排出ノズル４方向へ摺動し、インク容器１のピストン３と蓋部５との間には、空隙が生じるための通気孔となるために中央孔１１ａ及び周孔１１ｂとを備えている。
【特許文献１】実開平２−１４８３６０号公報
【発明の開示】
【発明が解決しようとする課題】
【０００５】
ところで、上記従来技術のインク容器１における蓋部５には、上記の通り、その平板部７に広径の中央孔１１ａとその周辺に周孔１１ｂが複数設けられている（図６参照）。しかしながら、インク容器１を挿入する印刷機内部では、ドラムやローラ等の回転によって、熱や摩擦が生じ、印刷用紙の繊維や紙粉が散乱している。そして、このような繊維や紙粉は、インク容器１の蓋部５に設けられた孔１１ａあるいは１１ｂを入口として、インク容器１内部に侵入してしまう。すなわち、細かい繊維や紙粉がピストン３と蓋部５とに生じる空間に浮遊したり、内周面に付着してしまう。そして、インク容器１内部に紙粉等が侵入付着すると、ピストン３の摺動精度は低下するとともに、インクの使用後、インク容器１を取り出して、インクを再充填する際においても、インク容器１内部に紙粉等が集積することによって、再充填作業の負担を増大させることとなってしまう。
【０００６】
本発明は、上記のような従来技術の課題を解決するために提案されたものであり、その目的は、容器内への紙粉等の侵入を防止するとともに、インクの再充填による容器のリサイクルが容易で、環境負荷を低減することが可能なインク容器を提供することにある。
【課題を解決するための手段】
【０００７】
上記の目的を達成するため、請求項１記載の発明は、筒状の容器本体と、前記容器本体内部を摺動自在なピストンと、前記容器本体の一端には内部に充填されたインクを排出するノズルとを備えるインク容器において、前記容器本体の前記ノズルと反対の端部には前記筒状容器本体の開口部を塞ぐ蓋部材が設けられ、前記蓋部材は、平板部とその周囲に設けられた固定部とを備え、該固定部において前記筒状容器本体の開口部に固定され、前記平板部の少なくとも一部が通気孔を有する網目状となっていることを特徴とする。
【０００８】
以上の態様では、容器本体の蓋部材の平板部が網目状に形成されていることによって、ピストンへ外部から何らかが衝突等し、ピストンが破損するのを防ぐとともに蓋部材を通して容器本体内部への必要な空気の通路を確保しつつ、蓋部材に設けられた穴を通して容器本体内部への紙粉や塵埃の侵入を低減し、ピストンの摺動精度を高く保つことができる。また、特に、インク容器のインクを再充填する際においても、インク容器内部に紙粉等が付着しないため、容器内の洗浄作業が容易となる。
【０００９】
請求項２記載の発明は、請求項１記載の発明において、前記蓋部材は、前記容器本体に対して、着脱自在に構成されていることを特徴とする。
以上の態様では、蓋部材が、容器本体に対して容易に着脱できるように構成されているため、例えば、容器本体にインクを再充填するような場合においても、容器内部の処理、修理及びクリーニング等を容易に行うことができ、インク容器の再利用に好適である。
【発明の効果】
【００１０】
本発明によれば、容器内への紙粉等の混入防止するとともに、インクの再充填による容器のリサイクルが容易で、環境負荷を低減することが可能なインク容器を提供することができる。
【発明を実施するための最良の形態】
【００１１】
次に、本発明を実施するための種々の形態（以下「実施形態」と呼ぶ）について図面を参照して具体的に説明する。
【００１２】
図１は、本発明に係るインク容器の実施形態を示す模式図である。図１に示すように、インク容器１は、合成樹脂等の素材で構成され、筒状の容器本体２と、この容器本体２の内周面と略同一の外周を備えた円柱形状で、インク容器１内部にその軸線方向に摺動自在に挿入されたピストン３とを備える。また、容器本体２の一端は閉止され、そこには内部に充填されたインクを排出するノズル４が設けられている。また、ノズル４と反対の端部は開放され、そこには蓋部材５が設けられている。さらに容器本体２の周面にはその軸方向に沿って、容器内に充填されるインクの種類等を判別するための判別リブＲが設けられている。
【００１３】
この蓋部材５は、円形の縁部に設けられた固定部６と、この固定部の内側に設けられた平板部７と、固定部６と平板部７との間に設けられた制止部８とを備える。この固定部６は、蓋部材５を容器本体２に固定する手段であり、具体的には、図２の拡大図に示すように、容器本体端部に雄ネジ溝２ａが、固定部に雄ネジ溝６ａがそれぞれ刻まれている。したがって、この蓋部材５は、容器本体２に対して着脱容易に構成されている。また、制止部８は、インク容器１にインクが満たされる際にピストン３の端部に当接し、ピストンの摺動を制止するものである。
【００１４】
なお、この固定部６の構成は、上記のようなネジ構造の態様に限られず、例えば、図３に示すように、容器本体２の端部に突起２ｂを設け、その突起２ｂに合成樹脂等の若干弾性のある固定部６の枠６ｂで挟み込むようにして嵌着する態様であってもよい。また、容器本体２の端部に対して単に圧入したものであってもよい。
【００１５】
平板部７は、図１（ｂ）に示すように、固定部６の内側に設けられ、全体あるいは一部に細かい網目９が形成されている。この網目は一定の間隔で配置されたリブ９ａと、このリブ９ａと垂直に設けられ、リブ９ａの補強する補強部９ｂとからなる。リブ９ａの間隔は、通気性が保たれる範囲内で任意に設定可能であるが、機器内部で発生する紙粉や塵埃の侵入を防ぐため、出きる限り小さいものであると良い。また、図１の態様においては、この平板部７は、固定部６とともに合成樹脂で一体成形されている。
【００１６】
ここで、平板部７の網目９の形状あるいは網目の範囲については、上記のような場合に限られず、多種多用な態様が考えられる。例えば、形状としては、図１に示すようにリブ７ａを配置して格子状としても良いし、図４に示すように、菱形状（ａ）、亀甲形状（ｂ）あるいは微小な円形（ｃ）の孔を複数空けた態様としても良い。
【００１７】
また、網目９の設ける範囲についても、図１に示すように、平板部７全体に設けるように構成することも可能であるが、図５に示すように、平板部７の中央に設けた態様（ａ）、円形の網目部を複数設けた態様（ｂ）あるいは方形状に設けた態様（ｃ）等、種々の態様が選択可能である。また、図５（ｄ）に示すように、リブ９ａを用いるのではなく、平板部７に例えば、メッシュ９の別部材を取りつけて構成することも可能である。さらに、上記のような網目の形状と範囲については、例えば、メッシュ９と図５（ｂ）に示す各構成を組み合わせたものなど、いずれの態様の組み合わせによっても構成することが可能である。
【００１８】
以上のような構成からなる本実施形態のインク容器１では、平板部７に、細かい網目９が設けられているので、例えば、インク容器１を孔版印刷機などの機器に挿入して使用した場合に、機器内に飛散あるいは浮遊した紙粉や塵埃が蓋部材５に設けられた穴から侵入するのを防ぐことができる。これにより、蓋部材５によってピストン３へ外部から何らかが衝突等しピストン３が衝突するのを防ぐことができるとともに、蓋部材５の通気性を保ちつつ、容器本体２内部への紙粉や塵埃の侵入を低減し、ピストン３の摺動精度を高く保つことができる。また、特に、インク容器１のインクを再充填する際においても、インク容器２内部に紙粉等が付着しないため、容器２内の洗浄作業が容易となる。
【００１９】
また、この網目９は、リブ７ａを配置した態様、平板部７に複数の孔を空けた態様あるいは平板部７にメッシュを用いた態様等、網目の形状とその範囲を任意に構成可能であり、同時にデザイン性の高いインク容器を提供することが可能である。
【００２０】
また、蓋部材５は、容器本体２に対して固定部６を介して着脱自在に構成されているので、例えば、容器本体２にインクを再充填するような場合においても、容器内部の処理、修理及びクリーニング等を容易に行うことができ、インク容器１の再利用が容易に可能となる。
【図面の簡単な説明】
【００２１】
【図１】本発明の実施形態に係るインク容器の構成を示す模式図。
【図２】本発明の実施形態に係るインク容器における蓋部材の構成を示す模式図。
【図３】本発明の実施形態に係るインク容器における蓋部材の構成を示す模式図。
【図４】本発明の実施形態に係るインク容器における蓋部材の他の態様を示す模式図。
【図５】本発明の実施形態に係るインク容器における蓋部材の他の態様を示す模式図。
【図６】従来のインク容器における蓋部材の構成を示す模式図。
【符号の説明】
【００２２】
１…インク容器
２…容器本体
２ａ…雄ネジ溝
２ｂ…突起
３…ピストン
４…ノズル
５…蓋部材
６…固定部
６ａ…雌ネジ溝
６ｂ…枠
７…平板部
７ａ…リブ
８…制止部
９…網目
９ａ…リブ
９ｂ…補強部
１０…メッシュ
１１ａ…中央孔
１１ｂ…周孔
Ｒ…判別リブ
【図１】
2005225009.tif 000003
【図２】
2005225009.tif 000004
【図３】
2005225009.tif 000005
【図４】
2005225009.tif 000006
【図５】
2005225009.tif 000007
【図６】
2005225009.tif 000008